(57)【要約】アップリンク応答信号を伝送する方法、基地局、移動局及び通信システムが提供される。方法は、ダウンリンクのセカンダリコンポーネントキャリアを用いて移動局にデータを送信するか否かを判断するステップと、判断結果がＹＥＳの場合、移動局が予め配置されたプライマリコンポーネントキャリアに対応するリソース及びセカンダリコンポーネントキャリアのために割り当てられたリソースを用いて応答信号を伝送するためのアップリンクリソースを選択できるように、セカンダリコンポーネントキャリアにおいてダウンリンクデータを送信する伝送ブロックの数に基づいてリソースを割り当てるステップと、を含む。リソース不足が生じた場合、基地局はデータを伝送する伝送ブロックＴＢの数に基づいて別途のリソースを割り当てることで、移動局が予め設置されたリソース及び別途に割り当てられたリソースにより応答信号のフィードバックを行い、小さい消費で応答信号のフィードバックを行い、従来技術のリソース不足の問題点を解決できる。【選択図】図６
2013541892.tif 000002
【特許請求の範囲】
【請求項１】
アップリンク応答信号を伝送する方法であって、
ダウンリンクのセカンダリコンポーネントキャリア（Secondary  Component  Carrier、SCC）を用いて移動局にデータを送信するか否かを判断するステップと、
判断結果がＹＥＳの場合、前記移動局が予め配置されたプライマリコンポーネントキャリア（Primary  Component  Carrier、PCC）に対応するリソース及び前記セカンダリコンポーネントキャリアのために割り当てられたリソースを用いて応答信号を伝送するためのアップリンクリソースを選択できるように、前記セカンダリコンポーネントキャリアにおいてダウンリンクデータを送信する伝送ブロックの数に基づいてリソースを割り当てるステップと、を含むアップリンク応答信号伝送方法。
【請求項２】
前記セカンダリコンポーネントキャリアにおいてダウンリンクデータを送信する伝送ブロックの数に基づいてリソースを割り当てた後に、前記アップリンク応答信号伝送方法は、
割り当てられたリソースのインデックスを前記移動局に送信するステップをさらに含む請求項１に記載のアップリンク応答信号伝送方法。
【請求項３】
前記セカンダリコンポーネントキャリアにおいてダウンリンクデータを送信する伝送ブロックの数に基づいてリソースを割り当てるステップは、
ダウンリンクデータを送信する伝送ブロックの数が１である場合、予め設置された第１のリソーステーブルからリソースを選択するステップであって、前記第１のリソーステーブルにおける各要素は１つのリソースを含む、ステップと、
ダウンリンクデータを送信する伝送ブロックの数が２である場合、予め設置された第２のリソーステーブルからリソースを選択するステップであって、前記第２のリソーステーブルにおける各要素は２つのリソースを含む、ステップと、を含む請求項１又は２に記載のアップリンク応答信号伝送方法。
【請求項４】
前記割り当てられたリソースのインデックスを前記移動局に送信するステップは、前記セカンダリコンポーネントキャリアの前記ダウンリンクデータをスケジューリングする物理ダウンリンク制御チャネル（Physical  Downlink  Control  Channel、PDCCH）において前記割り当てられたリソースのインデックスを前記移動局へ送信するステップを含む請求項２に記載のアップリンク応答信号伝送方法。
【請求項５】
アップリンク応答信号を伝送する方法であって、
基地局がダウンリンクコンポーネントキャリアにより送信したダウンリンクデータ、を受信するステップと、
前記受信されたダウンリンクデータを復号化し、復号化の結果に基づいて前記ダウンリンクデータの応答信号を取得するステップと、
ダウンリンクデータを送信するコンポーネントキャリアがセカンダリコンポーネントキャリアを含む場合、予め設置されたプライマリコンポーネントキャリアに対応するリソース及びセカンダリコンポーネントキャリアのために前記基地局により割り当てられたリソースを含む利用可能なリソースから、前記応答信号を伝送するためのアップリンクリソースを選択し、対応する変調符号を選択するステップと、
前記選択されるアップリンクリソース及び対応する変調符号を用いて前記応答信号を伝送するステップと、を含むアップリンク応答信号伝送方法。
【請求項６】
前記基地局がダウンリンクコンポーネントキャリアにより送信したダウンリンクデータを受信する前に、前記アップリンク応答信号伝送方法は、前記基地局により送信された、前記セカンダリコンポーネントキャリアのために前記基地局により割り当てられたリソースのインデックスを受信するステップをさらに含む請求項５に記載のアップリンク応答信号伝送方法。
【請求項７】
ダウンリンクデータを送信するコンポーネントキャリアがプライマリコンポーネントキャリアである場合、前記アップリンク応答信号伝送方法は、予め設置されたプライマリコンポーネントキャリアに対応するリソースを含む利用可能なリソースから、前記応答信号を伝送するためのアップリンクリソースを選択し、対応する変調符号を選択するステップをさらに含む請求項５に記載のアップリンク応答信号伝送方法。
【請求項８】
前記利用可能なリソースから前記応答信号を伝送するためのアップリンクリソースを選択し、対応する変調符号を選択するステップは、
前記応答信号の状態に基づいて、予め設置された応答信号の状態と選択されるリソース及び変調符号とのマッピング関係により、前記応答信号を伝送するためのアップリンクリソース及び変調符号を選択するステップを含み、前記選択されるリソースは前記利用可能なリソースのうち１つであり、
前記マッピング関係には、Ｎ／Ｄである前記応答信号に対応するリソースを選択せず、ＮとＤとを区別せず、ここで、Ｎはデータ誤り受信を表示し、Ｄは如何なるダウンリンク制御データが受信されていないことを表示しており、前記応答信号の全てはＮ／Ｄである場合、いずれのリソースも選択しない請求項５乃至７のいずれかに記載のアップリンク応答信号伝送方法。
【請求項９】
前記応答信号は４ビットである場合、前記応答信号の状態と選択されるリソース及び変調符号の第１のマッピング関係は
【表１】
2013541892.tif 000018
となり、ここで、前記第１のマッピング関係には、Ａはデータ正しく受信を表示し、Ｎはデータ誤り受信を表示し、Ｄは如何なるダウンリンク制御データが受信されていないことを表示し、ｎ０〜ｎ３は利用可能なリソースを表示し、Ｎ／Ａは不適用を表示する請求項８に記載のアップリンク応答信号伝送方法。
【請求項１０】
前記応答信号は３ビットである場合、前記応答信号の状態と選択されるリソース及び変調符号の第２のマッピング関係は
【表２】
2013541892.tif 000019
となり、ここで、前記第２のマッピング関係には、Ａはデータ正しく受信を表示し、Ｎはデータ誤り受信を表示し、Ｄは如何なるダウンリンク制御データが受信されていないことを表示し、ｎ０〜ｎ２は利用可能なリソースを表示し、Ｎ／Ａは不適用を表示する請求項８に記載のアップリンク応答信号伝送方法。
【請求項１１】
前記応答信号は２ビットである場合、前記応答信号の状態と選択されるリソース及び変調符号の第３のマッピング関係は
【表３】
2013541892.tif 000020
となり、ここで、前記第３のマッピング関係には、Ａはデータ正しく受信を表示し、Ｎはデータ誤り受信を表示し、Ｄは如何なるダウンリンク制御データが受信されていないことを表示し、ｎ０〜ｎ１は利用可能なリソースを表示し、Ｎ／Ａは不適用を表示する請求項８に記載のアップリンク応答信号伝送方法。
【請求項１２】
前記利用可能なリソースから前記応答信号を伝送するためのアップリンクリソースを選択し、対応する変調符号を選択するステップは、
前記応答信号の状態に基づいて、予め設置された応答信号の状態と選択されるリソース及び変調符号とのマッピング関係により、前記応答信号を伝送するためのアップリンクリソース及び変調符号を選択するステップを含み、前記選択されるリソースは前記利用可能なリソースのうち１つであり、
前記マッピング関係において、Ｎ／Ｄである前記応答信号に対応するリソースを選択せず、
同一のコンポーネントキャリアに属する２番目の応答信号はＮである場合、前記応答信号Ｎに対応するリソースを使用せず、
プライマリコンポーネントキャリアのみにおいてデータを送信する場合、ＬＴＥのリソースマッピング方法に応じて、プライマリコンポーネントキャリアにおける物理ダウンリンク制御チャネル（ＰＤＣＣＨ）の最下位の制御チャネル要素（Control  Channel  Element、CCE）インデックスによりマッピングする請求項５に記載のアップリンク応答信号伝送方法。
【請求項１３】
ダウンリンクデータを伝送するコンポーネントキャリアが２つのコンポーネントキャリアを含み、前記応答信号は４ビットである場合、前記応答信号の状態と選択されるリソース及び変調符号の第４のマッピング関係は
【表４】
2013541892.tif 000021
となり、ここで、前記第４のマッピング関係には、Ａはデータ正しく受信を表示し、Ｎはデータ誤り受信を表示し、Ｄは如何なるダウンリンク制御データが受信されていないことを表示し、ｎ０〜ｎ３は利用可能なリソースを表示し、Ｎ／Ａは不適用を表示する請求項１２に記載のアップリンク応答信号伝送方法。
【請求項１４】
ダウンリンクデータを伝送するコンポーネントキャリアが３つのコンポーネントキャリアを含み、前記応答信号は４ビットである場合、前記応答信号の状態と選択されるリソース及び変調符号の第５のマッピング関係は
【表５】
2013541892.tif 000022
となり、ここで、前記第５のマッピング関係には、Ａはデータ正しく受信を表示し、Ｎはデータ誤り受信を表示し、Ｄは如何なるダウンリンク制御データが受信されていないことを表示し、ｎ０〜ｎ３は利用可能なリソースを表示し、Ｎ／Ａは不適用を表示する請求項１２に記載のアップリンク応答信号伝送方法。
【請求項１５】
ダウンリンクデータを伝送するコンポーネントキャリアが２つのコンポーネントキャリアを含み、前記応答信号は３ビットである場合、前記応答信号の状態と選択されるリソース及び変調符号の第６のマッピング関係は
【表６】
2013541892.tif 000023
となり、ここで、前記第６のマッピング関係には、Ａはデータ正しく受信を表示し、Ｎはデータ誤り受信を表示し、Ｄは如何なるダウンリンク制御データが受信されていないことを表示し、ｎ０〜ｎ２は利用可能なリソースを表示し、Ｎ／Ａは不適用を表示する請求項１２に記載のアップリンク応答信号伝送方法。
【請求項１６】
ダウンリンクのセカンダリコンポーネントキャリア（Secondary  Component  Carrier、SCC）を用いて移動局にデータを送信するか否かを判断する判断手段と、
前記判断手段の判断結果がＹＥＳの場合、前記移動局が予め配置されたプライマリコンポーネントキャリア（Primary  Component  Carrier、PCC）に対応するリソース及び前記セカンダリコンポーネントキャリアのために割り当てられたリソースを用いて応答信号を伝送するためのアップリンクリソースを選択できるように、前記セカンダリコンポーネントキャリアにおいてダウンリンクデータを送信する伝送ブロックの数に基づいてリソースを割り当てるリソース割り当て手段と、を含む基地局。
【請求項１７】
前記リソース割り当て手段により割り当てられたリソースのインデックスを前記移動局に送信する情報送信手段をさらに含む請求項１６に記載の基地局。
【請求項１８】
前記リソースを割り当て手段は、
ダウンリンクデータを送信する伝送ブロックの数が１である場合、予め設置された第１のリソーステーブルからリソースを選択する第１のリソース割り当て手段であって、前記第１のリソーステーブルにおける各要素は１つのリソースを含む、第１のリソース割り当て手段と、
ダウンリンクデータを送信する伝送ブロックの数が２である場合、予め設置された第２のリソーステーブルからリソースを選択する第２のリソース割り当て手段であって、前記第２のリソーステーブルにおける各要素は２つのリソースを含む、第２のリソース割り当て手段と、を含む請求項１６又は１７に記載の基地局。
【請求項１９】
前記情報送信手段は、前記セカンダリコンポーネントキャリアの前記ダウンリンクデータをスケジューリングする物理ダウンリンク制御チャネル（Physical  Downlink  Control  Channel、PDCCH）において前記割り当てられたリソースのインデックスを前記移動局へ送信する請求項１７に記載の基地局。
【請求項２０】
基地局がダウンリンクコンポーネントキャリアにより送信したダウンリンクデータ、を受信するデータ受信手段と、
前記受信されたダウンリンクデータを復号化し、復号化の結果に基づいて前記ダウンリンクデータの応答信号を取得するデータ処理手段と、
ダウンリンクデータを送信するコンポーネントキャリアがセカンダリコンポーネントキャリアを含む場合、予め設置されたプライマリコンポーネントキャリアに対応するリソース及びセカンダリコンポーネントキャリアのために前記基地局により割り当てられたリソースを含む利用可能なリソースから、前記応答信号を伝送するためのアップリンクリソースを選択し、対応する変調符号を選択する第１のリソース選択手段と、
前記選択されるアップリンクリソース及び対応する変調符号を用いて前記応答信号を伝送する信号伝送手段と、を含む移動局。
【請求項２１】
前記基地局により送信された、前記セカンダリコンポーネントキャリアのために前記基地局により割り当てられたリソースのインデックスを受信する情報受信手段をさらに含む請求項２０に記載の移動局。
【請求項２２】
ダウンリンクデータを送信するコンポーネントキャリアがプライマリコンポーネントキャリアである場合、予め設置されたプライマリコンポーネントキャリアに対応するリソースを含む利用可能なリソースから、前記応答信号を伝送するためのアップリンクリソースを選択し、対応する変調符号を選択する第２のリソース選択手段をさらに含む請求項２０に記載の移動局。
【請求項２３】
前記第１のリソース選択手段及び前記第２のリソース選択手段は、前記応答信号の状態に基づいて、予め設置された応答信号の状態と選択されるリソース及び変調符号とのマッピング関係により、前記応答信号を伝送するためのアップリンクリソース及び変調符号を選択し、
前記選択されるリソースは前記利用可能なリソースのうち１つであり、
前記マッピング関係には、Ｎ／Ｄである前記応答信号に対応するリソースを選択せず、ＮとＤとを区別せず、ここで、Ｎはデータ誤り受信を表示し、Ｄは如何なるダウンリンク制御データが受信されていないことを表示しており、前記応答信号の全てはＮ／Ｄである場合、いずれのリソースも選択しない請求項２０乃至２２のいずれかに記載の移動局。
【請求項２４】
前記応答信号は４ビットである場合、前記応答信号の状態と選択されるリソース及び変調符号の第１のマッピング関係は
【表７】
2013541892.tif 000024
となり、ここで、前記第１のマッピング関係には、Ａはデータ正しく受信を表示し、Ｎはデータ誤り受信を表示し、Ｄは如何なるダウンリンク制御データが受信されていないことを表示し、ｎ０〜ｎ３は利用可能なリソースを表示し、Ｎ／Ａは不適用を表示する請求項２３に記載の移動局。
【請求項２５】
前記応答信号は３ビットである場合、前記応答信号の状態と選択されるリソース及び変調符号の第２のマッピング関係は
【表８】
2013541892.tif 000025
となり、ここで、前記第２のマッピング関係には、Ａはデータ正しく受信を表示し、Ｎはデータ誤り受信を表示し、Ｄは如何なるダウンリンク制御データが受信されていないことを表示し、ｎ０〜ｎ２は利用可能なリソースを表示し、Ｎ／Ａは不適用を表示する請求項２３に記載の移動局。
【請求項２６】
前記応答信号は２ビットである場合、前記応答信号の状態と選択されるリソース及び変調符号の第３のマッピング関係は
【表９】
2013541892.tif 000026
となり、ここで、前記第３のマッピング関係には、Ａはデータ正しく受信を表示し、Ｎはデータ誤り受信を表示し、Ｄは如何なるダウンリンク制御データが受信されていないことを表示し、ｎ０〜ｎ１は利用可能なリソースを表示し、Ｎ／Ａは不適用を表示する請求項２３に記載の移動局。
【請求項２７】
前記第１のリソース選択手段は、前記応答信号の状態に基づいて、予め設置された応答信号の状態と選択されるリソース及び変調符号とのマッピング関係により、前記応答信号を伝送するためのアップリンクリソース及び変調符号を選択し、
前記選択されるリソースは前記利用可能なリソースのうち１つであり、
前記マッピング関係において、Ｎ／Ｄである前記応答信号に対応するリソースを選択せず、
同一のコンポーネントキャリアに属する２番目の応答信号はＮである場合、前記応答信号Ｎに対応するリソースを使用せず、
プライマリコンポーネントキャリアのみにおいてデータを送信する場合、ＬＴＥのリソースマッピング方法に応じて、プライマリコンポーネントキャリアにおける物理ダウンリンク制御チャネル（ＰＤＣＣＨ）の最下位の制御チャネル要素（Control  Channel  Element、CCE）インデックスによりマッピングする請求項２０に記載の移動局。
【請求項２８】
ダウンリンクデータを伝送するコンポーネントキャリアが２つのコンポーネントキャリアを含み、前記応答信号は４ビットである場合、前記応答信号の状態と選択されるリソース及び変調符号の第４のマッピング関係は
【表１０】
2013541892.tif 000027
となり、ここで、前記第４のマッピング関係には、Ａはデータ正しく受信を表示し、Ｎはデータ誤り受信を表示し、Ｄは如何なるダウンリンク制御データが受信されていないことを表示し、ｎ０〜ｎ３は利用可能なリソースを表示し、Ｎ／Ａは不適用を表示する請求項２７に記載の移動局。
【請求項２９】
ダウンリンクデータを伝送するコンポーネントキャリアが３つのコンポーネントキャリアを含み、前記応答信号は４ビットである場合、前記応答信号の状態と選択されるリソース及び変調符号の第５のマッピング関係は
【表１１】
2013541892.tif 000028
となり、ここで、前記第５のマッピング関係には、Ａはデータ正しく受信を表示し、Ｎはデータ誤り受信を表示し、Ｄは如何なるダウンリンク制御データが受信されていないことを表示し、ｎ０〜ｎ３は利用可能なリソースを表示し、Ｎ／Ａは不適用を表示する請求項２７に記載の移動局。
【請求項３０】
ダウンリンクデータを伝送するコンポーネントキャリアが２つのコンポーネントキャリアを含み、前記応答信号は３ビットである場合、前記応答信号の状態と選択されるリソース及び変調符号の第６のマッピング関係は
【表１２】
2013541892.tif 000029
となり、ここで、前記第６のマッピング関係には、Ａはデータ正しく受信を表示し、Ｎはデータ誤り受信を表示し、Ｄは如何なるダウンリンク制御データが受信されていないことを表示し、ｎ０〜ｎ２は利用可能なリソースを表示し、Ｎ／Ａは不適用を表示する請求項２７に記載の移動局。
【請求項３１】
請求項１６乃至１９のいずれかに記載の基地局を含む基地局と、
請求項２０乃至３０のいずれかに記載の移動局を含む移動局と、を含む通信システム。
【請求項３２】
コンピュータが読み取り可能なプログラムであって、基地局において前記プログラムを実行する場合、前記コンピュータに、前記基地局において請求項１乃至４のいずれかに記載のアップリンク応答信号伝送方法を実行させる、プログラム。
【請求項３３】
コンピュータが読み取り可能なプログラムを記憶する記憶媒体であって、前記プログラムは、前記コンピュータに、前記基地局において請求項１乃至４のいずれかに記載のアップリンク応答信号伝送方法を実行させる、記憶媒体。
【請求項３４】
コンピュータが読み取り可能なプログラムであって、移動局において前記プログラムを実行する場合、前記コンピュータに、前記移動局において請求項５乃至１１のいずれかに記載のアップリンク応答信号伝送方法を実行させる、プログラム。
【請求項３５】
コンピュータが読み取り可能なプログラムを記憶する記憶媒体であって、前記プログラムは、前記コンピュータに、前記移動局において請求項５乃至１５のいずれかに記載のアップリンク応答信号伝送方法を実行させる、記憶媒体。
【発明の詳細な説明】
【技術分野】
【０００１】
本発明は、無線通信技術に関し、特にアップリンク応答信号伝送方法、移動局、基地局及び通信システムに関する。
【背景技術】
【０００２】
ロングタームエボリューション（LTE：Long  Term  Evolution）システムにおいて、ユーザ機器（UE：User  Equipment）は基地局から送信されたダウンリンクデータを受診し、ユーザ機器ＵＥは該ダウンリンクデータを復号化し、復号化の結果に基づいてダウンリンクデータの応答信号を取得し、物理アップリンク制御チャネル（PUCCH：Physical  Uplink  Control  Channel）において該応答信号を含むアップリンク制御情報を伝送することで、基地局は該アップリンク制御情報に基づいてデータ伝送が正しいか誤っているかを判断し、これによってデータを再送する必要があるか否かを判断する。ここで、該アップリンク制御情報はダウンリンクデータのために用いられる応答信号、例えば肯定応答（ACK：Acknowledgment）／否定応答（NACK：Negative  Acknowledgment）／不連続伝送（DTX：Discontinuous  Transmission）、及びチャネル状態情報（CSI）など、ＡＣＫはデータ正しく受信を表示し、ＮＡＣＫはデータ誤り受信を表示し、ＤＴＸはＵＥが如何なるダウンリンク制御データを受信していない、即ちダウンリンクデータの送信をスケジューリングする制御シグナリングがいずれも受信されていないことを表示する。
【０００３】
ＰＵＣＣＨにおいて送信された応答信号は、１つの物理チャネルリソース、１つの時間領域シーケンス及び１つの周波数領域シーケンスそれぞれに対応し、この３つのリソースは２つのパラメータに関連する。第１のパラメータは、システムの上位層に配置される全てのセルにおけるユーザ機器ＵＥが共に使用する同一のパラメータＮ１であり、もう１つのパラメータは、応答信号に対応する、ダウンリンクデータをスケジューリングする物理ダウンリンク制御チャネル（PDCCH：Physical  Downlink  Control  Channel）に含まれる１番目の制御チャネル要素（CCE：Control  Channel  Element）のインデックスに関連する。具体的には、図１に示すように、Ｎ１は、アップリンクサブフレームにおいて応答信号を伝送するＰＵＣＣＨが周波数領域にある起点位置を決定し、該パラメータはセルにおける全てのＵＥ又は移動局により共有されており、該ＰＤＣＣＨの一番目のＣＣＥインデックスは、該起点位置を参照し、該ＰＤＣＣＨにおいてスケジューリングされた、ユーザ機器ＵＥがアップリンク制御シグナリングを伝送する際に実際に採用されている物理リソース及びシーケンスリソースを決定する。
【０００４】
図２は、ＬＴＥ  ＦＤＤ（周波数分割多重方式）システムの応答信号の送信タイミングを示す図である。ＬＴＥ  ＦＤＤシステムにおいて、アップリンクサブフレームとダウンリンクサブフレームとが一対一対応する。言い換えれば、システムにおけるいずれのユーザ機器ＵＥは、１つのアップリンクサブフレームにおいて、それに対応するダウンリンクサブフレームデータの応答信号値を１つだけ伝送する。１つのダウンリンクサブフレームにおいて伝送されるデータは、多くとも２つの伝送ブロック（TB：transport  block）を含むことができる、即ち２ビット（bit）の応答信号を有する。該２ビットの応答信号は、伝送前にまずＱＰＳＫ（Quadrature  Phase  Shift  Keying：四位相偏移変調方式）符号に変調して、その後、対応する物理リソース及びシーケンスリソースにマッピングする。ＬＴＥ  ＦＤＤシステムのＡＣＫ／ＮＡＣＫの送信タイミングは図２に示されている。
【０００５】
図３は、ＬＴＥ  ＴＤＤ（時間分割多重方式）システムの応答信号の送信タイミングを示す図である。ＬＴＥ  ＴＤＤ（時間分割多重方式）システムにおいて、７種類のアップリンク／ダウンリンクサブフレームの配置が定義されている。主なサブフレームの配置では、多くの場合にアップリンクサブフレームとダウンリンクサブフレームとが一対他対応する。言い換えれば、システムにおけるいずれのユーザ機器ＵＥは、１つのアップリンクサブフレームにおいて、それに対応する複数のダウンリンクサブフレームの応答信号値を伝送する。ＬＴＥ  ＴＤＤシステムのあるアップ／ダウンリンクサブフレーム配置に対応するＡＣＫ／ＮＡＣＫの送信タイミングは図３に示されている。
【０００６】
現在、ＬＴＥ  ＴＤＤシステムはチャネル選択（Channel  Selection）という方法を採用して、１つのアップリンクサブフレームにおいて複数のダウンリンクサブフレームデータに対応する応答信号。該方法は以下のステップを含む。ダウンリンクサブフレームが２つの伝送ブロック（TB：Transmission  Block）を含む場合、該２つのＴＢの応答信号を合併する（bundling）、例えば、全ての応答信号がＡＣＫのとき、合併された後のものもＡＣＫとなり、逆の場合はＮＡＣＫとなる。その後、合併後の応答信号値に基づいてルックアップテーブルにより変調後の符号値、及び対応する物理リソース及びシーケンスリソースを決定する。
【０００７】
表１は、２つのダウンリンクサブフレームが１つのアップリンクサブフレームに対応する応答信号フィードバック方法を示している。表１に示すように、ユーザ機器ＵＥが２つのサブフレームにおいて検出された応答信号が（ＡＣＫ，ＡＣＫ）である場合、１番目のサブフレームのユーザ機器ＵＥをスケジューリングしてダウンリンク信号伝送を行うＰＤＣＣＨの最下位のＣＣＥインデックスｎ１を選択して、アップリンクの物理リソース及びシーケンスリソースをマッピングし、変調符号値は−１である。２つのサブフレームに対応する応答信号が（ＡＣＫ，ＮＡＣＫ／ＤＴＸ）である場合、０番目のサブフレームのＰＤＣＣＨの最下位のＣＣＥインデックスｎ０を選択してアップリンクの物理リソース及びシーケンスリソースをマッピングし、変調符号値は−ｊである。その他のチャネル選択方法は表１によって類推する。一般には、チャネル選択に必要なリソース数と応答信号のビット数とは等しい、例えば応答信号が２／３／４ビットである場合、選択するために２／３／４個のリソースそれぞれを提供する必要がある。
【０００８】
表１：ＬＴＥシステムの２ビット応答信号のチャネル選択方法
【表１】
2013541892.tif 000003
【０００９】
以上のことから、ＬＴＥ  ＴＤＤシステムでは、応答信号の合併（Bundling）を採用し、このように、データ送信を含む各ダウンリンクサブフレームから利用可能なリソースを得ることができる。このため、フィードバックされた応答信号値がリソースにマッピングする時に、リソースは足りる。
【００１０】
ＬＴＥ先進（LTE-Advanced、LTE-Aとも略称する）システムでは、キャリアアグリゲーション（CA：Carrier  Aggregation）方式を採用してデータを伝送する。ダウンリンク及びアップリンクは複数のコンポーネントキャリア（CC：Component  Carrier）を含み、各コンポーネントキャリアにおいてシステムにおける移動局に対してアップリンクデータ送信及びダウンリンクデータ送信をスケジューリングすることができる。システムは、各ユーザ機器ＵＥに対して１つのダウンリンクプライマリコンポーネントキャリア（PCC：Primary  Component  Carrier）及び複数のセカンダリコンポーネントキャリア（SCC：Secondary  Component  Carrier）を配置する。プライマリコンポーネントキャリアＰＣＣ及びセカンダリコンポーネントキャリアＳＣＣそれぞれは自分のキャリアにおけるデータ送信をスケジューリングすることができる。
【００１１】
ＬＴＥ−Ａシステムでは、いずれのユーザ機器ＵＥは、アップリンクプライマリコンポーネントキャリアＰＣＣにおいて、その配置すべてのダウンリンクコンポーネントキャリアに対応する制御情報、例えば各ダウンリンクコンポーネントキャリアデータの応答信号、ダウンリンクコンポーネントキャリアのチャネル状態情報などをフィードバックする。ＬＴＥ  ＴＤＤと類似するように、移動局は、１つのプライマリコンポーネントキャリアＰＣＣのアップリンクサブフレームにおいて、複数のダウンリンクサブフレームのデータの応答信号値をフィードバックする必要がある。このダウンリンクサブフレームは、異なるダウンリンクコンポーネントキャリアＣＣに属する。
【００１２】
しかしながら、本発明を実現する過程では、発明者は従来技術の以下の欠点を発見している。ＬＴＥ−Ａシステムでは、キャリアアグリゲーション方式を採用する際に、プライマリコンポーネントキャリアＰＣＣに対応するリソースを予め設置するため、基地局がセカンダリコンポーネントキャリアＳＣＣを用いてデータを送信する場合、シングルキャリアの要求により合併（bundling）方式が採用されていないため、リソース不足の恐れがある。
【００１３】
例えば、ある移動局に２つのコンポーネントキャリア、即ち１つのプライマリコンポーネントキャリアＰＣＣ及び１つのセカンダリコンポーネントキャリアＳＣＣが配置され、各コンポーネントキャリアの伝送方式は２つのＴＢである場合、４つの応答信号値をフィードバックする必要があり、選択するために４つのリソースを提供する必要がある。一方、通常の場合、プライマリコンポーネントキャリアＰＣＣに対応するリソースを予め配置する。このように、各コンポーネントキャリアＣＣにおけるＰＤＣＣＨの最下位のＣＣＥインデックスのみを用いてマッピングすると、利用可能なリソースの数は単なる２となる。
【００１４】
現在、リソース不足に対して、有効の解決方法がまだない。
【００１５】
本発明を理解するための通常技術に有益な文献は、以下のように引用され、本文において説明するように本文に援用する。
【００１６】
１）ＣＮ１０１５９４２１１Ａ、公開日２００９．１２．０２、発明の名称は「ビッグブロードバンドのマルチキャリアシステムにおいて正しい／誤った応答メッセージを送信する方法」
２）ＣＮ１０１５８８２２６Ａ、公開日２００９．１１．２５、発明の名称は「ビッグブロードバンドのマルチキャリアシステムにおける端末及び応答メッセージの送信方法」
３）ＷＯ２０１０／０５０６８８Ａ２，METHOD  OF  HARQ  ACKNOWLEDGEMENT  TRANSMISSION  AND  TRANSPORT  BLOCK  RETRANSMISSION  IN  A  WIRELESS  COMMUNICATION  SYSTEM.
【発明の概要】
【発明が解決しようとする課題】
【００１７】
本発明の実施例は、基地局により別途のリソースを割り当てることで、ユーザ機器ＵＥが予め設置されたリソース及び別途に割り当てられたリソースを用いて応答信号のフィードバックを行い、小さい消費で応答信号のフィードバックを行い、従来技術におけるリソース不足の問題点を解決することを目的とする。
【課題を解決するための手段】
【００１８】
本発明の実施例の一の方面によれば、アップリンク応答信号を伝送する方法であって、ダウンリンクのセカンダリコンポーネントキャリア（Secondary  Component  Carrier、SCC）を用いて移動局にデータを送信するか否かを判断するステップと、判断結果がＹＥＳの場合、前記移動局が予め配置されたプライマリコンポーネントキャリア（Primary  Component  Carrier、PCC）に対応するリソース及び前記セカンダリコンポーネントキャリアのために割り当てられたリソースを用いて応答信号を伝送するためのアップリンクリソースを選択できるように、前記セカンダリコンポーネントキャリアにおいてダウンリンクデータを送信する伝送ブロックの数に基づいてリソースを割り当てるステップと、を含むアップリンク応答信号伝送方法が提供されている。
【００１９】
本発明の実施例の他の方面によれば、アップリンク応答信号を伝送する方法であって、基地局がダウンリンクコンポーネントキャリアにより送信したダウンリンクデータ、を受信するステップと、前記受信されたダウンリンクデータを復号化し、復号化の結果に基づいて前記ダウンリンクデータの応答信号を取得するステップと、ダウンリンクデータを送信するコンポーネントキャリアがセカンダリコンポーネントキャリアを含む場合、予め設置されたプライマリコンポーネントキャリアに対応するリソース及びセカンダリコンポーネントキャリアのために前記基地局により割り当てられたリソースを含む利用可能なリソースから、前記応答信号を伝送するためのアップリンクリソースを選択し、対応する変調符号を選択するステップと、前記選択されたアップリンクリソース及び対応する変調符号を用いて前記応答信号を伝送するステップと、を含むアップリンク応答信号伝送方法が提供されている。
【００２０】
本発明の実施例の他の方面によれば、ダウンリンクのセカンダリコンポーネントキャリア（Secondary  Component  Carrier、SCC）を用いて移動局にデータを送信するか否かを判断する判断手段と、前記判断手段の判断結果がＹＥＳの場合、前記移動局が予め配置されたプライマリコンポーネントキャリア（Primary  Component  Carrier、PCC）に対応するリソース及び前記セカンダリコンポーネントキャリアのために割り当てられたリソースを用いて応答信号を伝送するためのアップリンクリソースを選択できるように、前記セカンダリコンポーネントキャリアにおいてダウンリンクデータを送信する伝送ブロックの数に基づいてリソースを割り当てるリソース割り当て手段と、を含む基地局が提供されている。
【００２１】
本発明の実施例の他の方面によれば、基地局がダウンリンクコンポーネントキャリアにより送信したダウンリンクデータ、を受信するデータ受信手段と、前記受信されたダウンリンクデータを復号化し、復号化の結果に基づいて前記ダウンリンクデータの応答信号を取得するデータ処理手段と、ダウンリンクデータを送信するコンポーネントキャリアがセカンダリコンポーネントキャリアを含む場合、予め設置されたプライマリコンポーネントキャリアに対応するリソース及びセカンダリコンポーネントキャリアのために前記基地局により割り当てられたリソースを含む利用可能なリソースから、前記応答信号を伝送するためのアップリンクリソースを選択し、対応する変調符号を選択する第１のリソース選択手段と、前記選択されたアップリンクリソース及び対応する変調符号を用いて前記応答信号を伝送する信号伝送手段と、を含む移動局が提供されている。
【００２２】
本発明の実施例の他の方面によれば、上述した基地局を含む基地局と、上述した移動局を含む移動局と、を含む通信システムが提供されている。
【００２３】
本発明の実施例の他の方面によれば、コンピュータが読み取り可能なプログラムであって、基地局において前記プログラムを実行する場合、前記コンピュータに、前記基地局において上述したアップリンク応答信号伝送方法を実行させる、プログラムが提供されている。
【００２４】
本発明の実施例の他の方面によれば、コンピュータが読み取り可能なプログラムを記憶する記憶媒体であって、前記プログラムは、前記コンピュータに、前記基地局において上述したアップリンク応答信号伝送方法を実行させる、記憶媒体が提供されている。
【００２５】
本発明の実施例の他の方面によれば、コンピュータが読み取り可能なプログラムであって、移動局において前記プログラムを実行する場合、前記コンピュータに、前記移動局において上述したアップリンク応答信号伝送方法を実行させる、プログラムが提供されている。
【００２６】
本発明の実施例の他の方面によれば、コンピュータが読み取り可能なプログラムを記憶する記憶媒体であって、前記プログラムは、前記コンピュータに、前記移動局において上述したアップリンク応答信号伝送方法を実行させる、記憶媒体が提供されている。
【発明の効果】
【００２７】
本発明の実施例の有利的な効果は、基地局により別途のリソースを割り当てることで、ユーザ機器ＵＥが予め設置されたリソース及び別途に割り当てられたリソースを用いて応答信号のフィードバックを行い、小さい消費で応答信号のフィードバックを行い、従来技術におけるリソース不足の問題点を解決することとする。
【００２８】
下記の説明及び図面を参照しながら、本発明の特定の実施形態が詳しく開示されており、本発明の原理を採用可能な方式が示されている。なお、本発明の実施形態は範囲において限定されていない。特許請求の範囲に限定されている本発明の主旨及び範囲を離脱しない限り、本発明に対して各種の変更、修正、均等化を行ってもよい。
【００２９】
一種類の実施形態に記載及び／又は示されている特徴は、同一又は類似の方式で１つ又は複数の他の実施形態で使用されてもよく、他の実施形態における特徴と組み合わせる、或いは他の実施形態における特徴を代替してもよい。
【００３０】
なお、本文では、用語「包括／含む」は、特徴、部材全体、工程又はモジュールの存在を指し、一つ又は複数の他の特徴、部材全体、工程又はモジュールの存在又は付加を排除しない。
【図面の簡単な説明】
【００３１】
【図１】ＬＴＥシステムのアップリンク／ダウンリンク制御チャネルのマッピングを示す図。
【図２】ＬＴＥ  ＦＤＤシステムの応答信号の送信タイミングを示す図。
【図３】ＬＴＥ  ＴＤＤシステムの応答信号の送信タイミングを示す図。
【図４】本発明の実施例１に係るアップリンク応答信号伝送方法のフローチャート。
【図５】本発明の実施例２に係るアップリンク応答信号伝送方法のフローチャート。
【図６】本発明の実施例３に係るアップリンク応答信号伝送方法のフローチャート。
【図７】本発明の実施例４に係る基地局の構成を示す図。
【図８】図７におけるリソース割り当て部の構成を示す図。
【図９】本発明の実施例５に係る移動局の構成を示す図。
【図１０】本発明の実施例６に係る通信システムの構成を示す図。
【発明を実施するための形態】
【００３２】
図面を参照しながら本発明の各種の実施形態を説明する。これらの実施形態は例示するものに過ぎなく、本発明を限定するものではない。本発明の原理及び実施形態をよく理解させるため、３ＧＰＰのＬＴＥ  Ａｄｖａｎｃｅｄシステムにおいてキャリアアグリゲーション方式でデータを伝送することを例として、本発明の実施形態を説明する。なお、本発明はＬＴＥ  Ａｄｖａｎｃｅｄシステムに限定されず、類似のキャリアアグリゲーション機能を有するマルチキャリア通信システムに適用されてもよい。
【００３３】
図４は、本発明の実施例１に係るアップリンク応答信号伝送方法のフローチャートである。図４に示すように、アップリンク応答信号伝送方法は、ステップ４０１とステップ４０２とを含む。
【００３４】
ステップ４０１において、基地局がある移動局にデータを送信する場合、ダウンリンクのセカンダリコンポーネントキャリア（Secondary  Component  Carrier、SCC）を用いて移動局にデータを送信するか否かを判断する。判断結果がＹＥＳの場合、ステップ４０２を実行し、逆の場合、ステップ４０３を実行する。
【００３５】
ステップ４０２において、ステップ４０１における判断結果がＹＥＳの場合、該移動局が予め配置されたプライマリコンポーネントキャリア（Primary  Component  Carrier、PCC）に対応するリソース及び該セカンダリコンポーネントキャリアのために割り当てられたリソースを用いて応答信号を伝送するためのアップリンクリソースを選択できるように、該セカンダリコンポーネントキャリアにおいてダウンリンクデータを送信する伝送ブロックの数に基づいてリソースを割り当てる。
【００３６】
本実施例では、ステップ４０１において、基地局はダウンリンクセカンダリコンポーネントキャリアＳＣＣを用いてデータを送信することを決定した場合、リソース不足の恐れがある。この際、基地局が該セカンダリコンポーネントキャリアＳＣＣにリソースを割り当てることで、移動局は予め設置されたリソース及び別途に割り当てられたリソースを用いて応答信号のフィードバックを行う。
【００３７】
本実施例では、本方法はステップ４０３をさらに含み、ステップ４０１における判断結果がＮＯであると、プライマリコンポーネントキャリアを用いてダウンリンクデータを送信することを意味する。プライマリコンポーネントキャリアＰＣＣに対応するリソースが予め設置されているため、この場合には別途のリソースを割り当てる必要がなく、移動局は予め配置されたプライマリコンポーネントキャリアに対応するリソースを用いて応答信号のフィードバックを行うことができる。
【００３８】
以上の実施例によれば、リソース不足の場合、基地局により別途のリソースを割り当てることで、移動局が予め設置されたリソース及び別途に割り当てられたリソースを用いて応答信号のフィードバックを行い、小さい消費で応答信号のフィードバックを行い、アップリンクシングルキャリアの特徴を破ることがなく、従来技術におけるリソース不足の問題点を解決することができる。
【００３９】
図５は、本発明の実施例２に係るアップリンク応答信号伝送方法のフローチャートである。図５に示すように、該方法は、ステップ５０１〜ステップ５０５を含む。
【００４０】
ステップ５０１において、基地局がある移動局にデータを送信する場合、ダウンリンクセカンダリコンポーネントキャリアＳＣＣを用いて移動局にデータを送信するか否かを判断する。判断結果がＹＥＳの場合、ステップ５０２を実行し、逆の場合、ステップ５０５０を実行する。
【００４１】
ここで、基地局は、移動局により送信されたチャネル品質の信号に基づいて、ダウンリンクセカンダリコンポーネントキャリアＳＣＣを用いて移動局にデータを送信するか否かを決定し、従来の如何なる方式を採用して実現するのは言うまでもない。
【００４２】
ステップ５０２において、ステップ５０１における判断結果がＹＥＳの場合、該移動局が予め配置されたプライマリコンポーネントキャリアＰＣＣに対応するリソース及び該セカンダリコンポーネントキャリアＳＣＣのために割り当てられたリソースを用いて応答信号を伝送するためのアップリンクリソースを選択できるように、該セカンダリコンポーネントキャリアＳＣＣにおいてダウンリンクデータを送信する伝送ブロックＴＢの数に基づいてリソースを割り当てる。
【００４３】
ここで、以下の方式を採用してリソースを割り当てる。
【００４４】
第１種：ダウンリンクデータを送信する伝送ブロックＴＢの数が１である場合、予め設置された第１のリソーステーブルからリソースを選択する。該第１のリソーステーブルにおける各要素は１つのリソースを含む。ここで、配置された伝送ブロックＴＢの数が１の場合、及び配置された伝送ブロックＴＢの数が２であるが、実際にデータを伝送する時に使用される伝送ブロックの数が１である場合が含まれている。例えば、第１のリソーステーブルｓｅｔ１は表１に示されている。
【００４５】
表１
【表２】
2013541892.tif 000004
【００４６】
第２種：ダウンリンクデータを送信する伝送ブロックの数が２である場合、予め設置された第２のリソーステーブルからリソースを選択する。該第２のリソーステーブルにおける各要素は２つのリソースを含む。例えば、第２のリソーステーブルｓｅｔ２は表２に示されている。
【００４７】
表２
【表３】
2013541892.tif 000005
【００４８】
ステップ５０３において、該基地局は割り当てられたリソースのインデックスを該移動局に送信する。
【００４９】
ここで、該セカンダリコンポーネントキャリアＳＣＣのダウンリンクデータをスケジューリングする物理ダウンリンク制御チャネルＰＤＣＣＨにおいて、該リソースのインデックスを移動局へ送信してもよい。
【００５０】
ステップ５０４において、該基地局はプライマリコンポーネントキャリアＰＣＣ及びセカンダリコンポーネントキャリアＳＣＣを用いて移動局にダウンリンクデータを送信することで、移動局は該ダウンリンクデータを受信した後に、該ダウンリンクデータに対して復号化処理を行って、対応する応答信号を取得して、予め設置されたリソース及び別途に割り当てられたリソースを用いて応答信号のフィードバックを行う。
【００５１】
ステップ５０５において、ステップ５０１における判断結果がＮＯの場合、プライマリコンポーネントキャリアＰＣＣに対応するリソースが予め設置されているため、この場合には別途のリソースを割り当てる必要がなく、プライマリコンポーネントキャリアＰＣＣを採用し、移動局は予め配置されたリソースを用いて応答信号のフィードバックを行うことができる。
【００５２】
以上の実施例によれば、リソース不足の場合、基地局はデータを伝送する伝送ブロックＴＢの数に基づいて別途のリソースを割り当て、該セカンダリコンポーネントキャリアＳＣＣのダウンリンクデータをスケジューリングする物理ダウンリンク制御チャネルＰＤＣＣＨにより該リソースのインデックスを該移動局へ送信して、移動局は割り当てられたリソースを取得し、予め設置されたリソース及び別途に割り当てられたリソースを用いて応答信号のフィードバックを行い、小さい消費で応答信号のフィードバックを行い、アップリンクシングルキャリアの特徴を破ることがなく、従来技術におけるリソース不足の問題点を解決することができる。
【００５３】
図６は、本発明の実施例３に係るアップリンク応答信号伝送方法のフローチャートである。図６に示すように、該方法はステップ６０１〜６０５を含む。
【００５４】
ステップ６０１において、基地局がダウンリンクコンポーネントキャリアＣＣにより送信したダウンリンクデータを受信する。
【００５５】
ステップ６０２において、受信されたダウンリンクデータを復号化し、復号化の結果に基づいて該ダウンリンクデータの応答信号を取得する。
【００５６】
ステップ６０３において、ダウンリンクデータを送信するコンポーネントキャリアがセカンダリコンポーネントキャリアＳＣＣを含む場合、利用可能なリソースから該応答信号を伝送するためのアップリンクリソースを選択し、対応する変調符号を選択してもよい。ここで、利用可能なリソースは、予め設置されたプライマリコンポーネントキャリアＰＣＣに対応するリソース及び該セカンダリコンポーネントキャリアＳＣＣのために基地局により割り当てられたリソースを含む。
【００５７】
ステップ６０４において、該移動局は、選択されたアップリンクリソース及び変調符号を用いて該応答信号を伝送する。以上の実施例によれば、リソース不足の場合、基地局はデータを伝送する伝送ブロックＴＢの数に基づいて別途のリソースを割り当て、物理ダウンリンク制御チャネルＰＤＣＣＨにより該リソースのインデックスを該移動局へ送信して、移動局は予め設置されたリソース及び別途に割り当てられたリソースを用いて応答信号のフィードバックを行い、小さい消費で応答信号のフィードバックを行い、従来技術におけるリソース不足の問題点を解決することができる。
【００５８】
本実施例では、ステップ６０２において、該応答信号は３種類の信号、ＡＣＫ、ＮＡＣＫ及びＤＴＸを含む。ここで、ＡＣＫ（以下、Ａと示す）はデータを正しく受信することを表示し、ＮＡＣＫ（以下、Ｎと示す）はデータを誤って受信することを表示し、ＤＴＸ（以下、Ｄと示す）は如何なるダウンリンク制御データが受信されていない、即ちダウンリンクデータの送信をスケジューリングする制御シグナリングがいずれも受信されていないことを表示する。
【００５９】
本実施例では、ステップ６０３において、基地局がセカンダリコンポーネントキャリアＳＣＣを用いてダウンリンクデータを送信するため、リソース不足の恐れがある。このように、基地局は該セカンダリコンポーネントキャリアＳＣＣに別途のリソースを割り当てることで、移動局は予め設置されたリソース及び割り当てられたリソースから応答信号を伝送するアップリンクリソースを選択する。ここで、該別途に割り当てられたリソースはＰＵＣＣＨリソースである。
【００６０】
本実施例では、ステップ６０４において、該移動局は、選択されたアップリンクリソース及び対応する変調符号を用いて該応答信号を伝送する。ここで、ＱＰＳＫ変調方式を採用して選択されたリソースにおいて応答信号の伝送を行ってもよい。
【００６１】
本実施例では、アップリンクリソース及び該アップリンクリソースにおける変調符号により異なる応答状態をマッピングする。このように、該移動局は、応答信号の状態に基づいて該アップリンクリソース及び対応する変調符号を選択することができる。よって、移動局は該変調符号を送信し、基地局は変調符号を受信した後、送信されたダウンリンクデータが正しく受信されたか否かを判断することができる。これは従来技術に類似し、その説明が省略される。
【００６２】
本実施例では、基地局がセカンダリコンポーネントキャリアＳＣＣに別途のリソースを割り当てると、基地局が割り当てられたリソースのインデックスを移動局に送信する。よって、該方法は、該移動局が、該基地局により送信された、セカンダリコンポーネントキャリアＳＣＣのために基地局により割り当てられたリソースのインデックスを受信するステップをさらに含む。
【００６３】
本実施例では、該方法はステップ６０５をさらに含む。ステップ６０５において、ダウンリンクデータを送信するコンポーネントキャリアがプライマリコンポーネントキャリアＰＣＣである場合、利用可能なリソースから該応答信号を伝送するためのアップリンクリソースを選択し、対応する変調符号を選択する。ここで、利用可能なリソースは、予め設置されたプライマリコンポーネントキャリアに対応するリソースを含む。
【００６４】
本実施例では、ステップ６０３及びステップ６０５において、利用可能なリソースを用いて応答信号を伝送するアップリンクリソースを選択する際に、以下の方式を採用してもよい。
【００６５】
該応答信号の状態に基づいて、予め設置された応答信号の状態と選択されるリソース及び変調符号とのマッピング関係により、該応答信号を伝送するためのアップリンクリソース及び変調符号を選択する。該選択されるリソースは該利用可能なリソースのうち１つである。
【００６６】
ここで、マッピング関係には、Ｎ／Ｄである該応答信号に対応するリソースを選択せず、ＮとＤとを区別しない。そのうち、Ｎはデータ誤り受信を表示し、Ｄは如何なるダウンリンク制御データが受信されていないことを表示しており、該応答信号の全てはＮ／Ｄである場合、いずれのリソースも選択しない。
【００６７】
ここで、応答信号のビット数に基づいて予め設置されたマッピング関係表をルックアップしてもよく、該マッピング関係表における選択可能なリソース数（利用可能なリソースの数）と応答信号のビット数とは等しい。以下、応答信号が４ビット、３ビット、２ビットの例をそれぞれ説明する。
【００６８】
第１種：応答信号は４ビット
４ビットの応答信号は以下の場合を含む。
【００６９】
１）移動局に対して２つのＣＣを配置し、各ＣＣに配置されている伝送モデルは２つのＴＢを含み、
２）移動局に対して３つのＣＣを配置し、そのうち、１つのＣＣに配置されている伝送モデルは２つのＴＢを含み、他の２つのＣＣに配置されている伝送モデルは１つのＴＢを含み、
３）移動局に対して４つのＣＣを配置し、各ＣＣに配置されている伝送モデルは共に１つのＴＢを含む。
【００７０】
このような場合には、選択可能なリソース数、即ち利用可能なリソースは４つである。該移動局の応答信号の状態と選択可能なリソースとの関係は表３Ａに示されており、選択可能なリソースは利用可能なリソースのうち１つ又は幾つである。４ビットの応答信号について、該応答信号の状態と選択されるリソース及び変調符号とのマッピング関係表は表３Ｂに示されており、選択されるリソースは利用可能なリソース（選択可能なリソース）のうち１つである。
【００７１】
表３Ａ  ４ビット応答信号の選択可能なリソース
【表４】
2013541892.tif 000006
【００７２】
表３Ｂ  ４ビット応答信号のマッピング関係表
【表５】
2013541892.tif 000007
【００７３】
表３Ａ及び表３Ｂに示されるマッピング関係には、番号１〜１７は応答信号に対応する１７種類の状態を表示し、Ａはデータ正しく受信を表示し、Ｎはデータ誤り受信を表示し、Ｄは如何なるダウンリンク制御データが受信されていないことを表示し、ｎ０〜ｎ３は利用可能なリソース、即ち利用可能な選択用のリソースを表示し、Ｎ／Ａは不適用を表示する。そのうち、Ａ＝ＡＣＫ、Ｎ＝ＮＡＣＫ、Ｄ＝ＤＴＸ。表３Ａ及び表３Ｂにおいて、ＮＡＣＫとＤＴＸとは区別されない。状態４（Ａ、Ａ、Ｎ／Ｄ、Ｎ／Ｄ）を例とすれば、含まれることが可能な応答信号は、（Ａ、Ａ、Ｎ、Ｎ）、（Ａ、Ａ、Ｎ、Ｄ）、（Ａ、Ａ、Ｄ、Ｎ）、（Ａ、Ａ、Ｄ、Ｄ）がある。
【００７４】
以上のことから、状態１６、１７を除いて、各選択可能な状態では、Ａに対応する応答信号の番号とＡに対応するリソース番号とは一致する。例えば、状態１０では、Ａに対応する応答信号の番号は１、２であり、それに応じて、対応する利用可能なリソースの番号も１、２である。
【００７５】
また、状態１６では１番目の応答信号のみが固定のＮであるため、１番目のリソースのみを選択後のリソースとして選択できる。第１６及び１７行は状態（Ｎ／Ｄ、Ｎ／Ｄ、Ｎ／Ｄ、Ｎ／Ｄ）に合併されてもよく、マッピングするためのリソースはいずれも選択しない。
【００７６】
第２種：応答信号は３ビット
３ビットの応答信号は以下の場合を含む。
【００７７】
１）移動局に対して２つのＣＣを配置し、そのうち１つのＣＣに配置されている伝送モデルは２つのＴＢを含み、もう１つのＣＣに配置されている伝送モデルは１つのＴＢを含み、
２）移動局に対して３つのＣＣを配置し、各ＣＣに配置されている伝送モデルは共に１つのＴＢを含む。
【００７８】
このような場合には、選択可能なリソース数、即ち利用可能なリソースは３つである。該移動局の応答信号の状態と選択可能なリソースとの関係は表４Ａに示されており、選択可能なリソースは利用可能なリソースのうち１つ又は幾つである。３ビットの応答信号について、該応答信号の状態と選択されるリソース及び変調符号とのマッピング関係表は表４Ｂに示されており、選択されるリソースは利用可能なリソース（選択可能なリソース）のうち１つである。
【００７９】
表４Ａ  ３ビット応答信号の選択可能なリソース
【表６】
2013541892.tif 000008
【００８０】
表４Ｂ  ３ビット応答信号のマッピング関係表
【表７】
2013541892.tif 000009
【００８１】
ここで、表４Ａ及び４Ｂに示されるマッピング関係には、番号１〜９は応答信号に対応する状態を表示し、Ａはデータ正しく受信を表示し、Ｎはデータ誤り受信を表示し、Ｄは如何なるダウンリンク制御データが受信されていないことを表示し、ｎ０〜ｎ２は利用可能なリソース、即ち利用可能な選択用のリソースを表示し、Ｎ／Ａは不適用を表示する。
【００８２】
第３種：応答信号は２ビット
移動局に対して２つのＣＣを配置し、各ＣＣに配置されている伝送モデルは共に１つのＴＢを含む。
【００８３】
このような場合には、選択可能なリソース数、即ち利用可能なリソースは２つである。該移動局の応答信号の状態と選択可能なリソースとの関係は表５Ａに示されており、選択可能なリソースは利用可能なリソースのうち１つ又は幾つである。２ビットの応答信号について、該応答信号の状態と選択されるリソース及び変調符号とのマッピング関係表は表５Ｂに示されており、選択されるリソースは利用可能なリソース（選択可能なリソース）のうち１つである。
【００８４】
表５Ａ  ２ビット応答信号の選択可能なリソース
【表８】
2013541892.tif 000010
【００８５】
表５Ｂ  ２ビット応答信号のマッピング関係表
【表９】
2013541892.tif 000011
【００８６】
ここで、表５Ａ及び５Ｂに示されるマッピング関係には、番号１〜５は応答信号に対応する状態を表示し、Ａはデータ正しく受信を表示し、Ｎはデータ誤り受信を表示し、Ｄは如何なるダウンリンク制御データが受信されていないことを表示し、ｎ０〜ｎ１は利用可能なリソース、即ち利用可能な選択用のリソースを表示し、Ｎ／Ａは不適用を表示する。
【００８７】
また、本実施例では、ステップ６０３及びステップ６０５において、利用可能なリソースを用いて応答信号を伝送するアップリンクリソースを選択する際に、以下の方式を採用してもよい。
【００８８】
該応答信号の状態に基づいて、予め設置された応答信号の状態と選択されるリソース及び変調符号とのマッピング関係により、該応答信号を伝送するためのアップリンクリソース及び変調符号を選択する。該選択されるリソースは利用可能なリソースのうち１つである。
【００８９】
ここで、マッピング関係において、Ｎ／Ｄである応答信号に対応するリソースを選択しない。ＮとＤとを区別せず、そのうち、Ｎはデータ誤り受信を表示し、Ｄは如何なるダウンリンク制御データが受信されていないことを表示する。応答信号の全てはＮ／Ｄである場合、いずれのリソースも選択しない。
【００９０】
また、移動局に対して幾つのコンポーネントキャリアＣＣを配置しても、プライマリコンポーネントキャリアＰＣＣのみにおいてデータを送信する場合、ＬＴＥのリソースマッピング方式に応じる、即ちプライマリコンポーネントキャリアＰＣＣにおけるＰＤＣＣＨの最下位のＣＣＥインデックスによりマッピングする。
【００９１】
以下、上述したマッピング原則に応じて、４ビットの応答信号、２ＣＣ、３ＣＣ及び４ＣＣのマッピング関係を配置する場合を説明し、３ビットの応答信号、２ＣＣ及び３ＣＣのマッピング関係を配置する場合を説明する。
【００９２】
第１種：４ビットの応答信号
応答信号は４ビットであり、且つ移動局に対して２つのＣＣを配置し、各ＣＣに配置されている伝送モデルは２つのＴＢを含む場合、移動局が選択可能なリソースは表６Ａに示され、マッピング関係は表６Ｂに示されている。
【００９３】
表６Ａ  ２ＣＣ、４ビットの応答信号の選択可能なリソース
【表１０】
2013541892.tif 000012
【００９４】
表６Ｂに示されるマッピング関係には、Ｎ／Ｄである応答信号に対応するリソースを選択しない。同一のコンポーネントキャリアに属する２番目の応答信号はＮである場合、応答信号Ｎに対応するリソースを使用しない。これは、このＣＣに対して２つのＴＢを配置するが、実際に１つのＴＢのみを発送すると、２番目の応答信号をＮＡＣＫとなるように一定に設置する、即ちこのＮＡＣＫに対応するリソースがないことになるからである。
【００９５】
また、表６ＡにおけるＣＣ１をプライマリコンポーネントキャリアＰＣＣとすると、上述した原則に従うため、表６Ａにおける第４、８、１２、１６行は、そのＰＤＣＣＨの１番目のＣＣＥインデックス、即ちｎ０を選択してリソースマッピングを行わなければならない。他の応答信号の状態は、ｎ０を選択されるリソースとして用いることができない。
【００９６】
表６Ｂ  ２ＣＣ、４ビットの応答信号のマッピング関係表
【表１１】
2013541892.tif 000013
【００９７】
ここで、表６Ａ、６Ｂに示されるマッピング関係には、番号１〜１７は応答信号に対応する状態である。Ａはデータ正しく受信を表示し、Ｎはデータ誤り受信を表示し、Ｄは如何なるダウンリンク制御データが受信されていないことを表示する。ｎ０〜ｎ３は利用可能なリソース、即ち利用可能な選択用のリソースを表示し、Ｎ／Ａは不適用を表示する。
【００９８】
第２種：４ビットの応答信号
応答信号は４ビットであり、且つ移動局に対して３つのＣＣを配置し、そのうち１つのＣＣに配置されている伝送モデルは２つのＴＢを含み、もう２つのＣＣに配置されている伝送モデルは１つのＴＢを含む場合、移動局が選択可能なリソースは表７Ａに示され、マッピング関係は表７Ｂに示されている。
【００９９】
表７Ａ  ４ビットの応答信号の選択可能なリソース
【表１２】
2013541892.tif 000014
【０１００】
表７Ａに示されるマッピング関係には、Ｎ／Ｄである応答信号に対応するリソースを選択しない。同一のコンポーネントキャリアに属する２番目の応答信号はＮである場合、応答信号Ｎに対応するリソースを使用しない。これは、このＣＣに対して２つのＴＢを配置するが、実際に１つのＴＢのみを発送すると、２番目の応答信号をＮＡＣＫとなるように一定に設置する、即ちこのＮＡＣＫに対応するリソースがないことになるからである。
【０１０１】
また、ＰＣＣが２つのＴＢを含むと、表７ＡにおけるＣＣ１はプライマリコンポーネントキャリアＰＣＣとなり、上述した原則に従うため、表７Ａにおける第４、８、１２、１６行は、そのＰＤＣＣＨの１番目のＣＣＥインデックス、即ちｎ０を選択してリソースマッピングを行う必要がある。他の応答信号の状態は、ｎ０を選択されるリソースとして用いることができない。
【０１０２】
プライマリコンポーネントキャリアＰＣＣが１つのＴＢを含むと、表７ＡにおけるＣＣ３はＰＣＣとなり、上述した原則に従うため、表７Ａに状態１７、即ち（Ｄ、Ｄ、Ｎ／Ｄ、Ｎ）が追加され、この状態と状態１５は、プライマリコンポーネントキャリアＰＣＣのこのＴＢを伝送するためのＰＤＣＣＨの１番目のＣＣＥインデックス、即ちｎ３を用いてリソースマッピングを行う。
【０１０３】
表７Ｂ  ３ＣＣ、４ビットの応答信号のマッピング関係表
【表１３】
2013541892.tif 000015
【０１０４】
ここで、表７Ａ、７Ｂに示されるマッピング関係には、番号１〜１８は応答信号に対応する状態数を表示する。Ａはデータ正しく受信を表示し、Ｎはデータ誤り受信を表示し、Ｄは如何なるダウンリンク制御データが受信されていないことを表示する。ｎ０〜ｎ３は利用可能なリソース、即ち利用可能な選択用のリソースを表示し、Ｎ／Ａは不適用を表示する。
【０１０５】
第３種：３ビットの応答信号
応答信号は３ビットであり、且つ移動局に対して２つのＣＣを配置し、そのうち１つのＣＣに配置されている伝送モデルは２つのＴＢを含み、もう１つのＣＣに配置されている伝送モデルは１つのＴＢを含む場合、移動局が選択可能なリソースは表８Ａに示され、マッピング関係は表８Ｂに示されている。
【０１０６】
表８Ａ  ２ＣＣ、３ビットの応答信号の選択可能なリソース
【表１４】
2013541892.tif 000016
【０１０７】
表８Ａに示されるマッピング関係には、Ｎ／Ｄである応答信号に対応するリソースを選択しない。同一のコンポーネントキャリアに属する２番目の応答信号はＮである場合、応答信号Ｎに対応するリソースを使用しない。これは、このＣＣに対して２つのＴＢを配置するが、実際に１つのＴＢのみを発送すると、２番目の応答信号をＮＡＣＫとなるように一定に設置する、即ちこのＮＡＣＫに対応するリソースがないことになるからである。
【０１０８】
また、ＰＣＣが２つのＴＢを含むと、表８ＡにおけるＣＣ１はＰＣＣとなり、上述した原則に従うため、表８Ａにおける第４、８、１２、１６行は、そのＰＤＣＣＨの１番目のＣＣＥインデックス、即ちｎ０を選択してリソースマッピングを行わなければならない。他の応答信号の状態は、ｎ０を選択されるリソースとして用いることができない。
【０１０９】
ＰＣＣが１つのＴＢを含むと、表８ＡにおけるＣＣ２はＰＣＣとなり、上述した原則に従うため、表８Ａに状態７と状態９は、ＰＣＣのこのＴＢを伝送するためのＰＤＣＣＨの１番目のＣＣＥインデックス、即ちｎ３を用いてリソースマッピングを行う。
【０１１０】
表８Ｂ  ２ＣＣ、３ビットの応答信号のマッピング関係表
【表１５】
2013541892.tif 000017
【０１１１】
ここで、表８Ａ、８Ｂに示されるマッピング関係には、番号１〜１０は応答信号に対応する状態数である。Ａはデータ正しく受信を表示し、Ｎはデータ誤り受信を表示し、Ｄは如何なるダウンリンク制御データが受信されていないことを表示する。ｎ０〜ｎ２は利用可能なリソース、即ち利用可能な選択用のリソースを表示する。Ｎ／Ａは不適用を表示する。
【０１１２】
以上の実施例によれば、リソース不足の場合、基地局はデータを伝送する伝送ブロックＴＢの数に基づいて別途のリソースを割り当て、物理ダウンリンク制御チャネルＰＤＣＣＨにより該リソースのインデックスを該移動局へ送信することで、移動局は予め設置されたリソース及び別途に割り当てられたリソースを用いて応答信号のフィードバックを行い、小さい消費で応答信号のフィードバックを行い、シングルキャリアの特徴を破ることがなく、従来技術におけるリソース不足の問題点を解決することができる。
【０１１３】
なお、上述した実施例の方法における全部又は一部のステップは、プログラムにより関係のあるハードウェアを実行させることで完成できる。該プログラムは１つのコンピュータが読み取り可能な記憶媒体に記憶され、該プログラムを実行する時に、上述した実施例の方法における全部又は一部のステップを含んでもよく、該記憶媒体はＲＯＭ、ＲＡＭ、ディスク、光ディスクを含んでもよい。
【０１１４】
以下の実施例に説明されるように、本発明の実施例は基地局及び移動局をさらに提供している。該基地局及び移動局の問題解決の原理と上述した基地局及び移動局に基づくアップリンク伝送方法と類似するため、該基地局及び移動局の実施について、方法の実施を参照してもよく、重複する部分の説明が省略される。
【０１１５】
図７は、本発明の実施例４に係る基地局の構成を示す図である。図７に示すように、該基地局は、判断部７０１及びリソース割り当て部７０２を含む。判断部７０１は、ダウンリンクのセカンダリコンポーネントキャリアを用いて移動局にデータを送信するか否かを判断する。リソース割り当て部７０２は、判断部７０１の判断結果がＹＥＳの場合、移動局が予め配置されたプライマリコンポーネントキャリアに対応するリソース及びセカンダリコンポーネントキャリアのために割り当てられたリソースを用いて応答信号を伝送するためのアップリンクリソースを選択できるように、該セカンダリコンポーネントキャリアにおいてダウンリンクデータを送信する伝送ブロックの数に基づいてリソースを割り当てる。
【０１１６】
図７に示すように、該基地局は情報送信部７０３をさらに含み、情報送信部７０３は、リソース割り当て部７０２により割り当てられたリソースのインデックスを移動局に送信する。なお、データ送信をスケジューリングする物理ダウンリンク制御チャネルＰＤＣＣＨにおいてリソースのインデックスを移動局へ送信してもよいが、これに限定されず、他の方式を採用して伝送してもよい。
【０１１７】
以上の実施例によれば、セカンダリコンポーネントキャリアによりデータを伝送する時に、リソース不足が生じる恐れがある。このように、基地局はデータを伝送する伝送ブロックＴＢの数に基づいて別途のリソースを割り当て、物理ダウンリンク制御チャネルＰＤＣＣＨにより該リソースのインデックスを該移動局へ送信することで、移動局は予め設置されたリソース及び別途に割り当てられたリソースを用いて応答信号のフィードバックを行い、小さい消費で応答信号のフィードバックを行い、従来技術におけるリソース不足の問題点を解決することができる。
【０１１８】
図８は、図７におけるリソース割り当て部の構成を示す図である。図８に示すように、リソースを割り当て部７０２は、第１のリソース割り当て部８０１及び第２のリソース割り当て部８０２を含む。第１のリソース割り当て部８０１は、ダウンリンクデータを送信する伝送ブロックの数が１である場合、予め設置された第１のリソーステーブルからリソースを選択する。第１のリソーステーブルにおける各要素は１つのリソースを含む。第２のリソース割り当て部８０２は、ダウンリンクデータを送信する伝送ブロックの数が２である場合、予め設置された第２のリソーステーブルからリソースを選択する。第２のリソーステーブルにおける各要素は２つのリソースを含む。
【０１１９】
なお、第１のリソーステーブル及び第２のリソーステーブルは表１及び表２に示されているため、ここでその説明が省略される。
【０１２０】
また、該基地局は、予め設置された表１及び表２を記憶する記憶部（図示せず）をさらに含んでもよい。また、該表１及び表２におけるリソースは全ての移動局により共有される。また、該基地局は、コンポーネントキャリアにより移動局へダウンリンクデータを送信するためのデータ送信部（図示せず）をさらに含んでもよい。
【０１２１】
図９は、本発明の実施例５に係る移動局の構成を示す図である。図９に示すように、該移動局は、データ受信部９０１、データ処理部９０２、第１のリソース選択部９０３、信号伝送部９０４を含む。データ受信部９０１は、基地局がダウンリンクコンポーネントキャリアにより送信したダウンリンクデータを受信する。データ処理部９０２は、受信されたダウンリンクデータを復号化し、復号化の結果に基づいてダウンリンクデータの応答信号を取得する。第１のリソース選択部９０３は、ダウンリンクデータを送信するコンポーネントキャリアがセカンダリコンポーネントキャリアを含む場合、利用可能なリソースから応答信号を伝送するためのアップリンクリソースを選択し、対応する変調符号を選択する。ここで、利用可能なリソースは、予め設置されたプライマリコンポーネントキャリアに対応するリソース、及びセカンダリコンポーネントキャリアのために基地局により割り当てられたリソースを含む。信号伝送部９０４は、選択されるアップリンクリソース及び対応する変調符号を用いて応答信号を伝送する。
【０１２２】
本実施例では、アップリンクリソース及び該アップリンクリソースにおける変調符号により異なる応答状態をマッピングする。このように、該移動局は、応答信号の状態に基づいて該アップリンクリソース及び対応する変調符号を選択することができる。よって、移動局は該変調符号を送信し、基地局は変調符号を受信した後、送信されたダウンリンクデータが正しく受信されたか否かを判断することができる。これは従来技術に類似し、その説明が省略される。
【０１２３】
図９に示すように、該移動局は、基地局により送信された、セカンダリコンポーネントキャリアのために基地局により割り当てられたリソースのインデックスを受信する情報受信部９０５をさらに含んでもよい。
【０１２４】
図９に示すように、該移動局は、第２のリソース選択部９０６をさらに含む。該第２のリソース選択部９０６は、ダウンリンクデータを送信するコンポーネントキャリアがプライマリコンポーネントキャリアである場合、利用可能なリソースから、応答信号を伝送するためのアップリンクリソースを選択し、対応する変調符号を選択する。
【０１２５】
上述した実施例では、第１のリソース選択部９０５及び第２のリソース選択部９０６は、応答信号の状態に基づいて、予め設置された応答信号の状態と選択されるリソース及び変調符号とのマッピング関係により、応答信号を伝送するためのアップリンクリソース及び変調符号を選択する。ここで、選択されるリソースは利用可能なリソースのうち１つである。
【０１２６】
なお、マッピング関係には、Ｎ／Ｄである応答信号に対応するリソースを選択せず、ＮとＤとを区別せず、ここで、Ｎはデータ誤り受信を表示し、Ｄは如何なるダウンリンク制御データが受信されていないことを表示する。応答信号の全てはＮ／Ｄである場合、いずれのリソースも選択しない。なお、応答信号状態に基づいて表３Ａ、４Ａ、５Ａに示される利用可能なリソースを選択してもよい。
【０１２７】
好適には、以上のように、表３Ｂ、４Ｂ、５Ｂに示されるマッピング関係表を採用してアップリンクリソース及び対応する変調符号を選択してもよく、ここでその説明が省略される。
【０１２８】
また、具体的には、第１のリソース選択部９０５は、応答信号の状態に基づいて、予め設置された応答信号の状態と選択されるリソース及び変調符号とのマッピング関係により、応答信号を伝送するためのアップリンクリソース及び変調符号を選択する。
【０１２９】
なお、マッピング関係には、Ｎ／Ｄである応答信号に対応するリソースを選択しない。同一のコンポーネントキャリアに属する２番目の応答信号はＮである場合、応答信号Ｎに対応するリソースを使用しない。
【０１３０】
移動局に対して幾つのＣＣを配置しても、ＰＣＣのみにおいてデータを送信する場合、ＬＴＥのリソースマッピング方法に応じなければならない、即ちＰＣＣにおけるＰＤＣＣＨの最下位のＣＣＥインデックスによりマッピングを行う。
【０１３１】
なお、２ＣＣ、４ビットが配置される応答信号は、表６Ａの利用可能なリソースを使用してもよく、好適には表６Ｂのマッピング関係を用いてアップリンクリソースを選択する。３ＣＣ、４ビットが配置される応答信号は、表７Ａの利用可能なリソースを使用してもよく、好適には表７Ｂのマッピング関係を用いてアップリンクリソースを選択する。２ＣＣ、３ビットが配置される応答信号は、表８Ａの利用可能なリソースを使用してもよく、好適には表８Ｂのマッピング関係を用いてアップリンクリソースを選択する。
【０１３２】
また、該移動局は、予め設置されたリソース及び割り当てられたリソースを記憶するための記憶部９０７をさらに含んでもよい。
【０１３３】
以上の実施例によれば、セカンダリコンポーネントキャリアによりデータを伝送する時に、リソース不足が生じる恐れがある。このように、基地局はデータを伝送する伝送ブロックＴＢの数に基づいて別途のリソースを割り当て、物理ダウンリンク制御チャネルＰＤＣＣＨにより該リソースのインデックスを該移動局へ送信することで、移動局は予め設置されたリソース及び別途に割り当てられたリソースを用いて応答信号のフィードバックを行い、小さい消費で応答信号のフィードバックを行い、従来技術におけるリソース不足の問題点を解決することができる。
【０１３４】
図１０は、本発明の実施例６に係る通信システムの構成を示す図である。図１０に示すように、該通信システムは、基地局１００１及び移動局１００２を含む。
【０１３５】
基地局１００１は実施例４に係る基地局を採用してもよく、移動局１００２は実施例５に係る移動局を採用してもよく、ここでその説明が省略される。
【０１３６】
以上の実施例によれば、基地局がセカンダリコンポーネントキャリアによりデータを伝送する時に、リソース不足が生じる恐れがある。このように、基地局はデータを伝送する伝送ブロックＴＢの数に基づいて別途のリソースを割り当て、物理ダウンリンク制御チャネルＰＤＣＣＨにより該リソースのインデックスを該移動局へ送信することで、移動局は予め設置されたリソース及び別途に割り当てられたリソースを用いて応答信号のフィードバックを行い、小さい消費で応答信号のフィードバックを行い、従来技術におけるリソース不足の問題点を解決することができる。
【０１３７】
本発明の実施例は、コンピュータが読み取り可能なプログラムをさらに提供する。基地局において該プログラムを実行する場合、該プログラムは、コンピュータに、基地局において実施例１又は実施例２に係るアップリンク応答信号伝送方法を実行させる。
【０１３８】
本発明は、コンピュータが読み取り可能なプログラムを記憶する記憶媒体をさらに提供する。該コンピュータが読み取り可能なプログラムは、コンピュータに、基地局において実施例１又は実施例２に係るアップリンク応答信号伝送方法を実行させる。
【０１３９】
本発明の実施例は、コンピュータが読み取り可能なプログラムをさらに提供する。移動局において該プログラムを実行する場合、該プログラムは、コンピュータに、移動局において実施例３に係るアップリンク応答信号伝送方法を実行させる。
【０１４０】
本発明の実施例は、コンピュータが読み取り可能なプログラムを記憶する記憶媒体をさらに提供する。該コンピュータが読み取り可能なプログラムは、コンピュータに、移動局において実施例３に係るアップリンク応答信号伝送方法を実行させる。
【０１４１】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【０１４２】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2013541892.tif 000030
【図２】
2013541892.tif 000031
【図３】
2013541892.tif 000032
【図４】
2013541892.tif 000033
【図５】
2013541892.tif 000034
【図６】
2013541892.tif 000035
【図７】
2013541892.tif 000036
【図８】
2013541892.tif 000037
【図９】
2013541892.tif 000038
【図１０】
2013541892.tif 000039
【国際調査報告】
2013541892.tif 000040
2013541892.tif 000041
2013541892.tif 000042
2013541892.tif 000043